(57)【要約】    【課題】釣人が自己の手首に負担をかけることなく餌を投入することができる釣用柄杓の提供。    【解決手段】この釣用柄杓１０は、実釣時に釣人が釣用餌を撒く際に使用される。釣用柄杓１０は、柄部１１と、カップ１２と、グリップ１３と、当接パッド１４とを備えている。カップ１２は柄部１１の先端に取り付けられ、当接パッド１４は柄部１１の後端に取り付けられている。グリップ１３は、釣人が把持しやすい形状に形成されている。柄部１１は、グリップ１３に挿通されており、グリップ１３は、柄部１１の中間部に固定されている。当接パッド１４は、釣人の腕に当接する当接部１８を備えている。当接部１８の表面２０は、釣人の腕に確実に当接するように円弧状に湾曲されている。【選択図】図１
2005304309.tif 000002
【特許請求の範囲】
【請求項１】
柄部と、
柄部の先端に設けられ、釣用餌が収容されるカップと、
柄部に設けられ、釣人が把持するグリップと、
グリップの後方に配置され、釣人がグリップを把持した状態でカップに収容された釣用餌を当該カップから離脱させるために手首を回動させたときに当該釣人の腕に当接する当接パッドとを備えた釣用柄杓。
【請求項２】
上記グリップと上記当接パッドとの距離を変化させる距離変化機構が設けられている請求項１に記載の釣用柄杓。
【請求項３】
上記距離変化機構は、上記柄部に対する上記グリップのスライドを許容するスライド機構からなる請求項２に記載の釣用柄杓。
【請求項４】
上記当接パッドは、上記グリップに連結された連結軸を有し、
上記距離変化機構は、上記グリップに対する上記連結軸のスライドを許容するスライド機構からなる請求項２に記載の釣用柄杓。  
【発明の詳細な説明】
【技術分野】
【０００１】
本発明は、釣りの際に使用される柄杓の構造に関するものである。
【背景技術】
【０００２】
特にウキ釣りにおいては、撒き餌は欠かせないものである。釣人は、従来から柄杓を使用して餌を水中に投入しているが、撒き餌の投入ポイント及びその量は、釣果に大きく影響するものであることは、釣人の経験の示すところである。そのため、柄杓は、例えばカップの形状、柄部の弾力性、グリップの形状等、従来から種々の改良が施されている（例えば、非特許文献１参照）。
【０００３】
【非特許文献１】株式会社シマノ  ２００４  Fishing Tackle Catalogue（第２００頁）
【発明の開示】
【発明が解決しようとする課題】
【０００４】
ところで、釣人が撒き餌をするときは、釣人は、柄杓のカップに餌を詰め、柄杓のグリップを把持し、腕を振りながら手首を返すという動作を行うことが多い。すなわち、釣人は、柄部を弾くように操作し、柄部が弾かれる瞬間にカップ内の餌がその慣性によって及び柄部の弾性変形による弾力を受けることによって、カップ内から離脱し水中に投入される。
【０００５】
しかしながら、釣人が釣りの際に餌を撒く動作の回数は、きわめて多い。特に釣人が餌を遠投する場合には、釣人の手首にかかる負担は大きい。そのため、柄部が弾性に富む形状及び材料で構成され、柄部の大きな弾力を利用して餌を投入する柄杓も提案されているが、釣人の手首の負担は、大幅に軽減されるものではない。
【０００６】
そこで、本発明の目的は、釣人が自己の手首に負担をかけることなく餌を投入することができる釣用柄杓を提供することである。
【課題を解決するための手段】
【０００７】
(1) 上記目的が達成されるため、本発明に係る釣用柄杓は、柄部と、柄部の先端に設けられ、釣用餌が収容されるカップと、柄部に設けられ、釣人が把持するグリップと、グリップの後方に配置され、釣人がグリップを把持した状態でカップに収容された釣用餌を当該カップから離脱させるために手首を回動させたときに当該釣人の腕に当接する当接パッドとを備えたことを特徴とするものである。
【０００８】
この構成によれば、釣人は、グリップを把持し、カップを操作して当該カップに釣用餌を詰め込む。釣人は、グリップを把持しながら腕を振ると共に手首を回転させることによってカップに詰め込まれた釣り餌を投げる。このとき、グリップの後方に当接パッドが設けられているから、釣人が手首を回転させると当接パッドが釣人の腕（手首と肘との間）に当接し、したがって、上記カップは、釣人の腕に対して相対的に急停止する。これにより、釣用餌は、その慣性によって及び柄部の弾性力によってカップから離脱し、水中に投入される。
【０００９】
(2) 上記グリップと上記当接パッドとの距離を変化させる距離変化機構が設けられているのが好ましい。
【００１０】
この構成では、距離変化機構によって上記グリップと上記当接パッドとの距離が変化するので、釣人の体格に応じて上記当接パッドの位置が調整される。
【００１１】
(3) 上記距離変化機構は、上記柄部に対する上記グリップのスライドを許容するスライド機構から構成される。
【００１２】
この構成では、上記グリップが上記当接パッドに接近することによって、当該グリップと上記カップとの距離が相対的に大きくなる。したがって、釣人は、釣用餌の遠投がしやすくなる。一方、上記グリップが上記当接パッドから離反することによって、当該グリップと上記カップとの距離が相対的に小さくなる。したがって、釣人は、釣用餌を投げる際にそのコントロールがしやすくなる。
【００１３】
(4) 上記当接パッドは、上記グリップに連結された連結軸を有し、上記距離変化機構は、上記グリップに対する上記連結軸のスライドを許容するスライド機構から構成される。
【００１４】
この構成では、連結軸がスライドされることによって、上記グリップが上記当接パッドに接近することができる。これにより、上記グリップと上記カップとの距離が相対的に大きくなり、釣人は、釣用餌の遠投がしやすくなる。一方、連結軸がスライドされることによって、上記グリップが上記当接パッドから離反することができる。これにより、上記グリップと上記カップとの距離が相対的に小さくなり、釣人は、釣用餌を投げる際にそのコントロールがしやすくなる。
【発明の効果】
【００１５】
本発明によれば、当接パッドが釣人の腕に当接してカップが急停止することによって、釣用餌がカップから離脱するので、釣人は、手首に負担を感じることなく釣用餌を投げることができる。
【発明を実施するための最良の形態】
【００１６】
以下、適宜図面が参照されつつ、好ましい実施形態に基づいて本発明が詳細に説明される。
【００１７】
＜第１の実施形態＞
図１は、本発明の第１の実施形態に係る釣用柄杓の正面図である。図２は図１におけるII−II断面図、図３は図１におけるIII−III断面図である。
【００１８】
この釣用柄杓１０は、実釣時に釣人が餌を撒くために使用される。釣用柄杓１０は、柄部１１と、カップ１２と、グリップ１３と、当接パッド１４とを備えている。柄部１１は、細長円筒棒状に形成されている。本実施形態では、柄部１１は、例えば所定形状に裁断されたシート状のカーボン繊維強化樹脂が筒状に巻回され、焼成されている。もっとも、柄部１１は、細長棒状に形成されていれば、他の材料で構成されていてもよい。
【００１９】
カップ１２は、樹脂や金属等により構成され、柄部１１の先端に取り付けられている。カップ１２は、カップ本体１５と取付部１６とを有し、これらは一体的に形成されている。取付部１６は、円筒状に形成されており、柄部１１の先端部が取付部１６に嵌め込まれ、両者が接着剤等によって固着されている。カップ１２の外形形状は、図１が示すように略半紡錘形に形成され、内部に釣用餌が収容される収容室が設けられている。
【００２０】
グリップ１３は、柄部１１の中間部に取り付けられている。グリップ１３は、樹脂、コルク、木材等により構成されている。グリップ１３は、筒状に形成されており、その内径寸法は、柄部１１の外径寸法に対応されている。柄部１１は、図１が示すようにグリップ１３を貫通しており、両者は、例えば接着剤等によって固着されている。なお、柄部１１とグリップ１３とが固着されずに所定のはめあいで嵌合されるときは、グリップ１３は、柄部１１に対して一定の保持力で保持されると共に、釣人は、所要時にグリップ１３を柄部１１に対してスライドさせることもできる。グリップ１３は、釣人が把持する部分である。そのため、図２がしめすように、グリップ１３の断面形状は、楕円形に形成されている。もっとも、グリップ１３の外形形状は、釣人にとって握りやすいものであれば、他の形状が採用され得る。
【００２１】
当接パッド１４は、柄部１１の後端部に取り付けられている。当接パッド１４は、樹脂、金属、木材等により構成されている。当接パッド１４は、連結部１７と当接部１８とを備えており、これらは一体的に形成されている。図３が示すように、連結部１７は、略直方体状に形成されており、軸方向に沿って孔１９が設けられている。柄部１１の後端部は、この孔１９に挿入され、接着剤等によって固定されている。当接部１８は、翼状に形成されており、連結部１７から上記軸方向に直交する方向に延設されている。当接部１８の表面２０は、略円弧状に湾曲されている。
【００２２】
釣人は、実釣時にこの釣用柄杓１０を用いて釣用餌を所望のポイントに投入する。釣人は、グリップ１３を把持し、カップ１２を操作して当該カップに釣用餌を詰め込む。釣人は、グリップ１３を把持しながら腕を振ると共に手首を回転させることによって、カップ１２に詰め込まれた釣用餌を投げる。このとき、グリップ１３の後方に当接パッド１４が設けられているから、釣人が手首を回転させると当接パッド１４が釣人の腕に当接する。
【００２３】
換言すれば、釣用柄杓１０はグリップ１３を中心に回動し、当接パッド１４は、当該当接パッド１４とグリップ１３との間の距離を半径とする円弧状を移動して釣人の腕に接近すると共に、カップ１２は、当該カップ１２とグリップ１３との間の距離を半径とする円弧上を当接パッド１４と逆方向に移動する。そして、当接パッド１４が釣人の腕に当接したときにカップ１２が急停止し、これにより、釣用餌は、その慣性によって及び柄部１１の弾性力によってカップ１２から離脱し、水中に投入される。
【００２４】
このように当該釣用柄杓１０では、当接パッド１４が釣人の腕に当接することによってカップ１２が急停止し、その結果、釣用餌がカップから離脱するので、釣人は、手首に負担を感じることなく釣用餌を投げることができる。特に、本実施形態では、当接パッド１４の表面２０が前述のように略円弧状に湾曲されているから、当接パッド１４は、釣人の腕に沿って当接する。これにより、釣人が釣用餌を投げる際に、カップ１２が確実に急停止するので、釣人の手首の負担は、確実に軽減される。
【００２５】
＜第２の実施形態＞
図４は、本発明の第２の実施形態に係る釣用柄杓３０の要部拡大分解斜視図である。同図は、釣用柄杓３０のグリップ３１が設けられた部分の構造を詳細に示している。
【００２６】
本実施形態に係る釣用柄杓３０が上記第１の実施形態に係る釣用柄杓１０と異なるところは、柄部１１に対するグリップ３１のスライドを許容するスライド機構３２（距離変化機構）が設けられている点である。なお、その他の構成については、上記釣用柄杓１０と同様である。上記スライド機構３２が設けられることによって、グリップ３１は、上記当接パッド１４（図１参照）に対して近接し、離反することができる。
【００２７】
上記スライド機構３２は、ロック部材３３を備えている。図５は、ロック部材３３の斜視図である。ロック部材３３は、金属又は樹脂により構成されており、同図が示すように円筒状に形成されている。具体的には、ロック部材３３は、筒状に形成された小径部３４とフランジ３５とを備えている。
【００２８】
小径部３４の内径寸法は、柄部１１の外径寸法に対応されており、柄部１１は、小径部３４内に挿通されている。小径部３４の外径寸法は、その先端部３６からフランジ３５が設けられた側に向かって漸次大きくなるように設定されている。つまり、小径部３４は、テーパ状に形成されている。また、小径部３４は、軸方向に沿ってスリット３７が設けられている。このスリット３７は、本実施形態では、小径部３４の周方向に沿って対称に４箇所に設けられているが、スリット３７の数量は、何ら限定されるものではない。このスリット３７が設けられることにより、小径部３４の外径寸法は、拡縮可能である。なお、上記フランジ３５は、同図が示すように、小径部３４の後端に連続して形成されている。
【００２９】
図４が示すように、グリップ３１は、上記第１の実施形態に係るグリップ１３と同様に、軸方向に沿って貫通孔３８が設けられている。この貫通孔３８の内径寸法は、柄部１１の外径寸法と略一致されているが、柄部１１の外径寸法よりも若干大きく設定されていてもよい。ロック部材３３の小径部３４は、柄部１１と上記貫通粉婦３８の内壁面との間に圧入される。これにより、小径部３４は径方向に押圧され、柄部１１を把持する。これにより、グリップ３１は、柄部１１に対して位置決め固定される。一方、グリップ３１に嵌め込まれたロック部材３３がグリップ３１から引き抜かれると、グリップ３１は、柄部１１に対して自在にスライドすることができる。
【００３０】
本実施形態では、上記ロック部材３３は、グリップ３１の後端部にのみ装着されるが、上記ロック部材３３が一対設けられ、グリップ３１の前端部及び後端部に装着されていてもよい。この場合には、グリップ３１の柄部１１に対する位置決め固定がより確実なものとなる。
【００３１】
本実施形態に係る釣用柄杓３０では、グリップ３１が柄部１１に対してスライドすることができ、釣人は、グリップ３１と上記当接パッド１４との距離を自在に調整することができる。これにより、釣人は、自己の体格（腕の長さ等）に合わせて当接パッド１４の位置を決定することができ、釣用餌を正確に投げることができる。具体的には、グリップ３１が当接パッド１４に接近することによって、グリップ３１と上記カップ１２との距離が相対的に大きくなる。したがって、釣人は、釣用餌の遠投がしやすくなる。一方、グリップ３１が当接パッド１４から離れることによって、グリップ３１と上記カップ１２との距離が相対的に小さくなる。したがって、釣人は、釣用餌を投げる際にそのコントロールがしやすくなる。
【００３２】
＜第３の実施形態＞
図６は、本発明の第３の実施形態に係る釣用柄杓４０の一部断面正面図である。また、図７は、この釣用柄杓４０の要部拡大斜視図である。
【００３３】
本実施形態に係る釣用柄杓４０が上記第１の実施形態に係る釣用柄杓１０と異なるところは、上記第１の実施形態に係る釣用柄杓１０では、柄部１１の中間部にグリップ１３が取り付けられ、柄部１１の後端部に当接パッド１４が設けられていたのに対し、本実施形態に係る釣用柄杓４０では、柄部１１の後端部にグリップ４１が設けられ、当該グリップ４１の後端に当接パッド４２が設けられている点、及びこの当接パッド４２は、スライド機構４３（距離変化機構）によってグリップ４１に対してスライドすることができるようになっている点である。なお、その他の構成については、上記釣用柄杓１０と同様である。
【００３４】
グリップ４１の外形形状は、上記第１の実施形態に係るグリップ１３と同様であるが、グリップ４１の軸方向には、貫通孔４４が設けられている。この貫通孔４４は、小径孔４５と大径孔４６とを有する。小径孔４５は、グリップ４１の前端側に設けられており、大径孔４６は、小径孔４５に連続してグリップ４１の後端まで延びている。小径孔４５の内径寸法は、柄部１１の外径寸法に対応されており、柄部１１は、小径孔４５に嵌め込まれている。柄部１１は、接着剤等によってグリップ４１に固着されているのが好ましい。一方、大径孔４６の内径寸法は、小径孔４５の内径寸法よりも若干大きく設定されており、後述される当接４２の連結軸４７が挿入されるようになっている。
【００３５】
当接パッド４２は、連結軸４７を備えている。この連結軸４７は、上記柄部１１と同様に、円筒状に形成されている。連結軸４７の基端部は、図６が示すように当接パッド４２に挿入され、接着剤等によって両者が固着されている。なお、当接パッド４２は、上記第１の実施形態に係る当接パッド１４と同様の構成である。
【００３６】
スライド機構４３は、上記第２の実施形態に係るスライド機構３２と同様にロック部材４８を備えている。このロック部材４８の構成は、上記第２の実施形態に係るロック部材３３と同様であるので、その説明は省略される。上記連結軸４７は、ロック部材４８の内部に挿通されている。
【００３７】
図７が示すように、上記連結軸４７は、グリップ４１の貫通孔４４に挿入される。具体的には、グリップ４１の後端側から大径孔４６に挿入される。この大径孔４６と上記小径孔４５との間には段部４９が形成されることになるから、上記連結軸４７は、グリップ４１の後端から段部４９が形成された位置までの領域に挿入される。
【００３８】
この連結軸４７がグリップ４１に挿入された状態で、上記ロック部材４８がグリップ４１の大径孔４６に嵌め込まれる。これにより、上記連結軸４７は、グリップ４１に対して位置決め固定される。また、上記ロック部材４８がグリップ４１から取り外されると、上記連結軸４７は、グリップ４１に対して自在にスライドすることができる。したがって、釣人は、上記連結軸４７をグリップ４１に対して所望の位置に位置決め固定することができる。
【００３９】
なお、本実施形態では、グリップ４１に設けられた貫通孔４４は、小径孔４５と大径孔４６とを備えているが、貫通孔４４の内径寸法が一定に設定されていてもよいことは勿論である。
【００４０】
本実施形態に係る釣用柄杓４０では、上記連結軸４７がグリップ４１に対してスライドすることができるから、上記第２の実施形態に係る釣用柄杓３０と同様に、釣人は、グリップ４１と当接パッド４２との距離を自在に調整することができ、自己の体格に合わせて当接パッド４２の位置を決定することができる。したがって、グリップ４１が当接パッド４２に接近すると、グリップ４１と上記カップ１２との距離が相対的に大きくなり、釣人は、釣用餌の遠投がしやすくなる。一方、グリップ４１が当接パッド４２から離れると、グリップ４１と上記カップ１２との距離が相対的に小さくなり、釣人は、釣用餌を投げる際にそのコントロールがしやすくなる。
【産業上の利用可能性】
【００４１】
本発明は、釣りの際に使用される釣用柄杓に適用され得る。
【図面の簡単な説明】
【００４２】
【図１】図１は、本発明の第１の実施形態に係る釣用柄杓の正面図である。
【図２】図２は、図１におけるII−II断面図である。
【図３】図３は、図１におけるIII−III断面図である。
【図４】図４は、本発明の第２の実施形態に係る釣用柄杓の要部拡大分解斜視図である。
【図５】図５は、本発明の第２の実施形態に係る釣用柄杓に設けられたロック部材の斜視図である。
【図６】図６は、本発明の第３の実施形態に係る釣用柄杓の一部断面正面図である。
【図７】図７は、本発明の第３の実施形態に係る釣用柄杓の要部拡大斜視図である。
【符号の説明】
【００４３】
１０・・・釣用柄杓
１１・・・柄部
１２・・・カップ
１３・・・グリップ
１４・・・当接パッド
１７・・・連結部
１８・・・当接部
１９・・・孔
２０・・・表面
３０・・・釣用柄杓
３１・・・グリップ
３２・・・スライド機構
３３・・・ロック部材
３４・・・小径部
３５・・・フランジ
３６・・・先端部
３７・・・スリット
３８・・・貫通孔
４０・・・釣用柄杓
４１・・・グリップ
４２・・・当接パッド
４３・・・スライド機構
４４・・・貫通孔
４５・・・小径孔
４６・・・大径孔
４７・・・連結軸
４８・・・ロック部材
４９・・・段部
【図１】
2005304309.tif 000003
【図２】
2005304309.tif 000004
【図３】
2005304309.tif 000005
【図４】
2005304309.tif 000006
【図５】
2005304309.tif 000007
【図６】
2005304309.tif 000008
【図７】
2005304309.tif 000009